(57)【要約】【課題】排水溝ユニットの水路部が捩れていたり、前壁部や後壁部が内外に倒れていても施工現場で容易に矯正し、矯正した状態を維持して水路部同士がずれることなく接続されて止水構造にすることができるようにした排水溝ユニットの接続構造を提供する。【解決手段】水路部１２の側縁には、該側縁と同形をなす略Ｌ形の鋼製の継ぎプレート２６の一側縁が溶接されると共に、Ｌ形の鉤部２４が側縁と一定の隙間２３を存して突設され、水路部端側が開口している。水路部１２の接続は、その一側縁を水路部端が突き合うようにして継ぎプレート２６に嵌着し、嵌着後、水路部１２両側の鉤部２４の隙間２３に楔２７を打ち込み、固定する。【選択図】図８
2015203219.tif 000002
【特許請求の範囲】
【請求項１】
前壁部と、後壁部と、これら前後の壁部を連結する底壁より構成される水路部と、該水路部に被さる蓋部よりなる鋼製の排水溝ユニットを接続するための接続構造であって、隣り合う排水溝ユニットの水路部には、側縁の複数か所にそれぞれＬ形をなして前記水路部側縁と一定の隙間を存し、かつ該隙間の開口が水路部端側を向くようにした鉤部が突設され、水路部接続時には互いに向き合う鉤部の隙間に楔が両側の鉤部の隙間に跨がるようにして通され、上方より打ち込んで固定されることを特徴とする排水溝ユニットの接続構造。
【請求項２】
前記水路部の継ぎ目には該継ぎ目を覆う細幅の継ぎプレートが当てがわれ、該継ぎプレートが前記鉤部の隙間に通されたのち、前記楔が継ぎプレートに重ねて打ち込まれることを特徴とする請求項１記載の排水溝ユニットの接続構造。
【発明の詳細な説明】
【技術分野】
【０００１】
本発明は、道路、とくに橋梁の地覆や中央分離帯等に設置される鋼製の排水溝ユニットの接続構造に関する。
【背景技術】
【０００２】
図１は、橋梁の地覆に設置される排水溝ユニットの従来例を示すもので、該排水溝ユニット１は前壁部２と、後壁部３と、これら前後の壁部２、３を連結する底壁４より構成されて断面略Ｊ形をなす水路部５と、該水路部５に被さる蓋部６とよりなり、水路部５の後壁部３より突設されるアンカー７がコンクリート製の縁石８に埋設されることにより固定され、図において、縁石８の右側が歩道、排水溝ユニット１の左側が車道となっている。
【０００３】
排水溝ユニットの施工時に排水溝ユニットを接続する際には、水漏れを生ずることがないように水路部を接続する必要があり、その方法としては、水路部の接続部分にゴム製の継手部材を両側の水路部に跨るようにして当てがいボルトにて固着し（特許文献１）、ついでシーリングのために水路部の接続部分に内側からシーリング材を装填する方法、止水パッキンを水路部で挟み込み、両側の水路部側縁に固着される締付板を締付金具で連結して止水パッキンを締着する方法（特許文献２）などが知られる。
【先行技術文献】
【特許文献】
【０００４】
【特許文献１】実公昭５７−４３９２４号
【特許文献２】特許第３３６１５０６号
【発明の概要】
【発明が解決しようとする課題】
【０００５】
排水溝ユニットの水路部自体が捩れていたり、水路部の前壁部や後壁部が内向き或いは外向きに倒れていると、隣接する水路部がずれて前述するような継手部材や止水パッキンを取付けることができないし、締付金具による締着もできず、また接続部分でのずれは水漏れのみならず、外観を損なうことともなる。
【０００６】
水路部の例えば前壁部や後壁部が内外に倒れている場合、従来はジャッキ等を用いて前壁部や後壁部を内外から押込み、倒れを矯正していたが、こうした矯正を施工現場にて行うのは容易でないうえ、矯正しても矯正後復元し、倒れを完全に解消することは困難であった。
【０００７】
本発明は、排水溝ユニットの水路部が捩れていたり、前壁部や後壁部が内外に倒れていても施工現場で容易に矯正し、矯正した状態を維持して水路部同士がずれることなく接続された止水構造にすることができるようにした排水溝ユニットの接続構造を提供することを目的とする。
【課題を解決するための手段】
【０００８】
請求項１に係る発明は、前壁部と、後壁部と、これら前後の壁部を連結する底壁より構成される水路部と、該水路部に被さる蓋部よりなる鋼製の排水溝ユニットを接続するための接続構造であって、隣り合う排水溝ユニットの水路部には、側縁の複数か所にそれぞれＬ形をなして前記水路部側縁と一定の隙間を存し、かつ該隙間の開口が水路部端側を向くようにした鉤部が突設され、水路部接続時には互いに向き合う鉤部の隙間に楔が両側の鉤部の隙間に跨がるようにして通され、上方より打ち込んで固定されることを特徴とし、
請求項２に係る発明は、請求項１に係る発明において、水路部の継ぎ目には該継ぎ目を覆う細幅の継ぎプレートが当てがわれ、該継ぎプレートが前記鉤部の隙間に通されたのち、前記楔が継ぎプレートに重ねて打ち込まれることを特徴とする。
【発明の効果】
【０００９】
請求項１に係る発明によると、排水溝ユニットの水路部に捩れがあったり、水路部の一部に内向き又は外向きの倒れがあって、水路部を接続したとき、継ぎ目にずれがあると、水路部側の複数か所に突設される鉤部のうち、一箇所の鉤部に楔を打ち込んで該箇所における水路部を固定し、ついでずれがある箇所、或いはその付近の鉤部に楔を同様にして打ち込む。これにより該箇所での倒れや捩れが矯正されてずれが解消され、以後矯正状態が維持される。鉤部は多くの場合、二箇所に設けられるが、三箇所以上設けられ、楔が打ち込まれた箇所以外、例えばずれが底壁にもある場合、該底壁の鉤部にも楔が打ち込まれ、底壁でのずれが解消される。以上のようにして継ぎ目でのずれが解消されることにより、継ぎ目へのシーリング材の充填によるシーリングが容易かつ確実に行われ、ずれによる外観不良を防ぐこともできる。
【００１０】
請求項２に係る発明によると、水路部の継ぎ目には継ぎプレートが当てがわれるが、楔が継ぎプレートに重ねて打ち込まれることにより継ぎプレートが固定され、水路部より離脱したり、剥離するのを防ぐことができる。
【図面の簡単な説明】
【００１１】
【図１】橋梁の地覆に設置される排水溝ユニットの従来例の断面図。
【図２】本発明に係る排水溝ユニットの斜視図。
【図３】同側面図。
【図４】排水溝ユニットの水路部の要部の斜視図。
【図５】段差を備えた水路部の継ぎ目の平面図。
【図６】接続された排水溝ユニットの斜視図。
【図７】楔を打ち込んだ断面図。
【図８】段差が解消された水路部の継ぎ目の平面図。
【発明を実施するための形態】
【００１２】
以下、本発明の実施形態の排水溝ユニットの接続構造について図面により説明する。
図２は、本実施形態の排水溝ユニット１１の斜視図、図３は同側面図、図４は排水溝ユニット１１を構成する水路部１２の要部を示すもので、水路部１２は、背丈の低い前壁部１３と、背丈の高い後壁部１４と、これら前後の壁部１３及び１４を連結する底壁１５より構成されて断面略Ｊ形をなし、前記水路部１２と共に排水溝ユニット１１を構成する蓋部１７は、図示しない水を通す多数の透孔を備えた水平部１８と、斜め上向きに傾斜する傾斜部１９と、水平部１８下に下向きに固着される脚部２０よりなり、蓋部１７は、該脚部２０を水路部１２の底壁１５に着床させ、かつ傾斜部上端を後壁部１４に寄り掛からせて水路部上に被せられるようになっている。水路部１２にはまた、後壁部１４後面（図２及び図３の右側面）の多数の箇所に突片２１が突設され、各突片２１にはＬ形のアンカー２２が差込んで取り付けられている。これら各アンカー２２は水路部１２を固定するためのもので、前記後壁部１４より突出し、図１に示すコンクリート製の縁石８に埋設されるようになっている。
【００１３】
水路部１２を構成する後壁部１４より突設される突片２１のうち、左右両側縁の上側に位置する突片は上面視で左右が逆向きのＬ形をなして後壁部側縁との間に一定の隙間２３を存し、該隙間２３は開口が水路部端側を向くようにして形成された鉤部２４となっている（図５）。この鉤部２４は図３に示すように、前壁部１３前面の左右両側縁にも設けられている。これ以外に底壁１５の底面の左右両側縁に設けてもよい。
【００１４】
水路部１２にはまた、左右の両側縁のうちの一方の側縁（図２においては左側の側縁）に該側縁と同形の略Ｊ形をなす鋼製の継ぎプレート２６の一側縁が溶接にて取付けられ、鉤部２４の隙間２３に通されている。
【００１５】
排水溝ユニット１１の水路部１２を例えば橋梁の地覆に沿って並べ、隣接する水路部１２を接続するときには、水路部１２の一側縁を水路部端が突き合うようにして継ぎプレート２６に嵌着する。図６は、継ぎプレート２６への嵌着により水路部１２が接続された状態を示す。
【００１６】
水路部１２を継ぎプレート２６に嵌着した状態において、例えば図５に示すように後壁部の継ぎ目に段差によるずれを生ずるときには、図３に示す前壁部１３の鉤部間の隙間２３に楔２７を継ぎプレート２６に重ねて差込み、上方より図示しない金具を当て、金槌等の工具を用いて打ち込み、水路部１２の前壁部１３を固定する。次に後壁部１４の鉤部間の隙間２３に楔２７を継ぎプレート２５に重ねて同様に図7の矢印方向に打ち込む。すると、後壁部１４の倒れが矯正され、段差によるずれが解消される。図８はずれが解消された状態を示し、このずれは楔２７を抜かない限り、復元されることはない。
【００１７】
地覆に沿って並べた水路部１２を前述するようにして接続した後、図１に示す縁石８がコンクリート打ちにより形成され、アンカー２２により水路部１２の固定が行われる。そして縁石８の形成に前後して蓋部１７が被せられる。
【００１８】
前記実施形態では、継ぎプレート２６が鋼製で、その一側縁が水路部１２の側縁に溶接にて固着されているが、別の実施形態では継ぎプレート２６が樹脂又はゴム製で、水路部側縁と同形の略Ｊ形に成形されるか、或いはテープ状をなし、水路部側縁に沿わせて取付ける。いずれの場合でも継ぎプレート２６は水路部側縁に固定されていないため、一部又は全体が水路部側縁より離脱したり、剥離するおそれがあるが、楔２７を継ぎプレート２６に重ねて打ち込むことに固定され、前述する離脱や剥離を防ぐことができる。
【符号の説明】
【００１９】
１１・・排水溝ユニット
１２・・水路部
１３・・前壁部
１４・・後壁部
１５・・底部
１７・・蓋部
１８・・水平部
１９・・傾斜部
２０・・脚部
２１・・突片
２２・・アンカー
２３・・隙間
２４・・鉤部
２６・・継ぎプレート
２７・・楔
【図１】
2015203219.tif 000003
【図２】
2015203219.tif 000004
【図３】
2015203219.tif 000005
【図４】
2015203219.tif 000006
【図５】
2015203219.tif 000007
【図６】
2015203219.tif 000008
【図７】
2015203219.tif 000009
【図８】
2015203219.tif 000010